(57)【特許請求の範囲】
【請求項１】
内周部に沿って複数の磁極歯が所定間隔を存して放射状に設置される円環状の継鉄鉄心と、この継鉄鉄心の上記磁極歯に絶縁部材を介して巻装され多相巻線を形成する巻線とを具備し、前記絶縁部材に巻装された巻線端末をそのまま延出して口出し線となす電動機の固定子において、
前記絶縁部材に、異相の巻線端末が巻装される複数の鍔部が設けられ、これら鍔部の相互間で、前記鍔部が設けられる方向と同じ方向の外周延長上の面に沿って一体に立ち上げられ、前記巻線端末の一部が巻き付けられる絶縁板を具備したことを特徴とする電動機の固定子。
【請求項２】
上記絶縁板の内面側に沿って、上記巻線端末が立ち上げられることを特徴とする請求項１記載の電動機の固定子。
【請求項３】
上記絶縁板の高さは、上記鍔部の高さと同等もしくはそれ以下であることを特徴とする請求項１記載の電動機の固定子。
【請求項４】
上記絶縁板の上端部に、巻装される巻線端末の抜け止めをなす張り出し部が設けられることを特徴とする請求項１記載の電動機の固定子。
【請求項５】
上記張り出し部に、異相の各巻線端末を収納するための溝、あるいは突起、あるいは溝と突起の両方が設けられることを特徴とする請求項４記載の電動機の固定子。
【請求項６】
上記絶縁板の張り出し部と、絶縁板両側の鍔部との対向面は、互いに上方へ向かって開いていることを特徴とする請求項４記載の電動機の固定子。
【発明の詳細な説明】
【０００１】
【発明の属する技術分野】
本発明は、電動機の固定子に係わり、特に多相巻線を形成する口出し線の処理構造の改良に関する。
【０００２】
【従来の技術】
たとえば、空気調和機等に搭載される圧縮機に組み込まれる圧縮機用電動機は、回転軸に一体に取付けられる回転子と、この回転子の外周面と狭小の間隙を存して配置される固定子とから構成される。
【０００３】
上記固定子は、内周部に沿って複数の磁極歯が所定間隔を存して放射状に設置される円環状の継鉄鉄心と、この継鉄鉄心の上記磁極歯に絶縁部材を介して巻装される巻線とからなり、多相巻線を形成している。
【０００４】
上記絶縁部材に巻装される巻線は、その巻始め端末と巻終り端末が絶縁部材から引き出されていて、これらは渡り線と呼ばれ、あるいは接続位置に応じて中性点接続線あるいは電源接続線とも呼ばれ、所定の電気回路を構成するよう接続配線される。
【０００５】
【発明が解決しようとする課題】
なお説明すれば、従来、図４ないし図８に示すようになっている。図４は三相電動機の並列星形結線を示す一般的な回路図であり、図５はその実体配線図の一例である。図６および図８は、実際の固定子の平面図と正面図であり、図７は口出し処理の一部を説明する図である。
【０００６】
円環状の継鉄鉄心Ｓは６つの磁極歯１ｕ，１ｕ’，１ｖ，１ｖ’，１ｗ，１ｗ’を備えていて、巻線端末３ｕは磁極歯１ｕに巻装される巻線Ｕ１へ連なり、これは渡り線２ｕを介して対向する磁極歯１ｕ’へ延出され、巻線Ｕ２として巻装される。そして、巻線端末３ｕ’へ連なり上記巻線端末３ｕと合せられ、その端末が絶縁チューブ５ｕによって被覆される。
【０００７】
また、巻線端末３ｖは磁極歯１ｖに巻装される巻線Ｖ１へ連なり、これは渡り線２ｖを介して対向する磁極歯１ｖ’へ延出され、巻線Ｖ２として巻装される。そして、巻線端末３ｖ’へ連なり上記巻線端末３ｖと合せられ、その端末が絶縁チューブ５ｖによって被覆される。
【０００８】
さらに、巻線端末３ｗは磁極歯１ｗに巻装される巻線Ｗ１へ連なり、これは渡り線２ｗを介して対向する磁極歯１ｗ’へ延出され、巻線Ｗ２として巻装される。そして、巻線端末３ｗ’ へ連なり上記巻線端末３ｗと合せられ、その端末が絶縁チューブ５ｗによって被覆される。
【０００９】
リード側では各巻線端末が絶縁部材９の鍔部８外周面に沿って引き回される。すなわち、巻線Ｖ２の巻線端末３ｖ’が絶縁部材９の鍔部８外周に沿って引き回され、鍔部８ｕと鍔部８ｖの開口部より内側へ引き回されて、巻線Ｖ１との絶縁を確保するため絶縁チューブ６が被せられる。また、巻線Ｖ１の巻線端末３ｖにも絶縁を確保するために絶縁チューブ７が被せられ、さらに巻線端末３ｖ’と３ｖとをねじりながら上方へ立上げられ、これらに絶縁チューブ５ｖが被せられる。
【００１０】
つぎに、巻線Ｕ２の巻線端末３ｕ’が絶縁部材９の鍔部８に沿って引き回され、Ｕ１の巻線端末３ｕとねじりながら上方へ立上げられ、絶縁チューブ５ｕが被せられる。同様に、巻線端末３ｗおよび３ｗ’にも絶縁チューブ５ｗが被せられ、最後に、各巻線端末先端にクラスタ端子（図示しない）をカシメたあと、絶縁チューブを被せた巻線端末を一ヶ所に集めてねじり、クラスタ端子をクラスタハウジング１０に挿入して仕上げる。
【００１１】
しかしながら、上述の巻線構成は以下のような欠点があった。すなわち、特に図７に示すように、巻線端末３ｖ’および３ｖに絶縁チューブ６および７を挿入するのであるが、この作業を鍔部８の高さの範囲内で行わなければならず、極めて狭いスペースであるところから手間がかかって面倒である。
【００１２】
さらに、最終的にねじられ口出し線として１本化されるが、ここにかかる力はほとんど真ん中の巻線端末３ｖのみ一本で受ける。そのため、巻線端末３ｖが損傷を受け易く、強い衝撃を受けた場合に破線に至る虞れが多分にある。
【００１３】
本発明は上記事情に着目してなされたものであり、その目的とするところは、巻線端末に対して余分な絶縁チューブを挿入することなく口出し線の処理を容易化し、かつ特定の巻線端末に集中して無理な力が加わらずにすみ、確実に固定できて信頼性の高い電動機の固定子を提供しようとするものである。
【００１４】
【課題を解決するための手段】
上記目的を満足するために本発明の電動機の固定子は、内周部に沿って複数の磁極歯が所定間隔を存して放射状に設置される円環状の継鉄鉄心と、この継鉄鉄心の上記磁極歯に絶縁部材を介して巻装され多相巻線を形成する巻線とを具備し、前記絶縁部材に巻装された巻線端末をそのまま延出して口出し線となす電動機の固定子において、
前記絶縁部材に、それぞれに異相の巻線端末が巻装される複数の鍔部が設けられ、これら鍔部の相互間で、前記鍔部が設けられる方向と同じ方向の外周延長上の面に沿って一体に立ち上げられ、前記巻線端末の一部が巻き付けられる絶縁板を具備したことを特徴とする。
【００１５】
請求項２として、請求項１記載の電動機の固定子において上記絶縁板の内面側に沿って、上記巻線端末が立ち上げられることを特徴とする。
【００１８】
請求項３として、請求項１記載の電動機の固定子において上記絶縁板の高さは、上記鍔部の高さと同等もしくはそれ以下であることを特徴とする。
【００１９】
請求項４として、請求項１記載の電動機の固定子において上記絶縁板の上端部に、巻装される巻線端末の抜け止めをなす張り出し部が設けられることを特徴とする。
【００２０】
請求項５として、請求項４記載の電動機の固定子において上記張り出し部に、異相の各巻線端末を収納するための溝、あるいは突起、あるいは溝と突起の両方が設けられることを特徴とする。
【００２１】
請求項６として、請求項４記載の電動機の固定子において上記絶縁板の張り出し部と、絶縁板両側の鍔部との対向面は、互いに上方へ向かって開いていることを特徴とする。
【００２２】
上述の課題を解決する手段を採用することにより、巻線端末に対して余分な絶縁チューブを挿入することなく口出し処理を容易化し、かつ特定の巻線端末に集中して無理な力が加わらずにすみ、確実に固定できる。
【００２３】
【発明の実施の形態】
以下、図面を参照して本発明の実施の形態を説明するに、三相電動機の並列星形結線を示す一般的な回路図は先に図４にて説明したものと同じであり、実体配線図は先に図５にて説明したものと同じであるので、ここでは同図を適用して新たな説明は省略する。
【００２４】
図１は本発明の一実施の形態を示す電動機の固定子の外観図とＢ部拡大図であり、図２は絶縁部材の一部平面図と正面図であり、図３は巻線をした状態での一部正面図と断面図である。
【００２５】
図１（Ａ）（Ｂ）に示すように、円環状の継鉄鉄心Ｓに、絶縁部材９Ａを介して後述するように巻線が施され、各巻線端末先端にクラスタ端子（図示しない）をカシメたあと、絶縁チューブを被せた巻線端末を一ヶ所に集めてねじり、クラスタ端子をクラスタハウジング１０に挿入して仕上げられる。
【００２６】
図２（Ａ）（Ｂ）に示すように、絶縁部材９Ａには、ほぼ台形状の鍔部８Ａ，８Ａが設けられている。これら鍔部８Ａ，８Ａの相互間には絶縁板１１が設けられていて、その位置は鍔部８Ａ，８Ａの外周延長上に位置決めされる。
【００２７】
上記絶縁板１１の上端部に、後述する張り出し部１２が設けられる。この張り出し部１２の高さは鍔部８Ａの高さと同等もしくはそれ以下に設定され、張り出し部１２の外面側には異相の巻線端末を収納するための突起１３ａ，１３ｂおよび溝１４ａ，１４ｂが設けられている。
【００２８】
また、絶縁板１１の張り出し部１２の両側面と、この両側の鍔部８Ａ，８Ａの側面である互いの対向面は、上方に向かって開くよう形成される。すなわち、張り出し部１２は下部側が広く上部側に向かって狭く形成される台形であり、鍔部８Ａ，８Ａも下部側が広く上部側に向かって狭く形成される台形である。したがって、張り出し部１２両側面と鍔部８Ａ，８Ａとの対向面との間は、下部側よりも上部側が広い。
【００２９】
図３（Ａ）（Ｂ）に示すように、巻線方法として、巻線Ｖ１から延出される巻線端末３ｖを図の左方向へ引き出し、さらに隣接する絶縁板１１の基端側溝１４ａに数巻だけ巻き付けたあと、この絶縁板１１の内面側に沿って上方へ立ち上げる。
【００３０】
つぎに、ここでは図示しない巻線Ｖ２から延出される巻線端末３ｖ’を図の右方向へ引き出し、さらに上記絶縁板１１の基端側溝１４ａに数巻だけ巻き付けたあと、絶縁板１１の内面側から上方へ立ち上げる。
【００３１】
このように巻線端末３ｖ，３ｖ’を絶縁板１１に巻き付けたあと、絶縁板１１の内面側に沿って立ち上げるので、巻線端末が鍔部８Ａ外周側に出っ張らずにすみ、コンパクトで安全なコイルエンドに仕上げることができる。
【００３２】
そして、絶縁板１１は鍔部８Ａ，８Ａ相互間の中央部に位置し、かつ鍔部８Ａ，８Ａと張り出し部１２との対向面の間が上方へ向かって開いているため、巻線端末３ｖ，３ｖ’の絶縁板１１に対する巻き付け作業が容易に行える。
【００３３】
また、絶縁板１１の上端部に張り出し部１２が形成されているため、この基端側溝１４ａに巻き付けられた巻線端末３ｖ，３ｖ’が上方に抜け出ることがなく、確実に固定できる。
【００３４】
つぎに、巻線Ｕ２の巻線端末３ｕ’を絶縁部材９Ａの鍔部８Ａ，８Ａ外周上に引き回し、張り出し部１２に設けられた溝部１４ｂと突起部１３ａ，１３ｂ内に這わせてから、巻線Ｕ１の巻線端末３ｕと併せ、互いにねじって上方へ立ち上げる。
【００３５】
このように、張り出し部１２には異相巻線端末３ｕ，３ｕ’を収納する溝１４ｂおよび突起１３ａ，１３ｂが設けられているため、巻線端末３ｕ’に対して巻線端末３ｖと巻線端末３ｖ’が接触することがない。したがって、この部位の巻線端末３ｖ，３ｖ’に従来のように絶縁チューブを被せる必要がなくなって、作業手間の軽減を図れる。
【００３６】
また、真ん中の巻線端末３ｖ，３ｖ’を絶縁板１１に数巻だけ巻き付けてから上方へ立上げたので、最終的にねじられて口出し線として１本化された状態で強い力がかかっても、破線に至るほどの損傷はほとんど防止できる。
【００３７】
【発明の効果】
以上説明したように本発明によれば、絶縁部材に巻線端末の一部を巻き付けたあと、その一面に沿って立ち上げる絶縁板を設けたから、巻線端末に余分な絶縁チューブを挿入する手間を省略できて口出し線処理の容易化が得られ、かつ特定の巻線端末に集中して無理な力が加わらずにすみ、確実に固定して信頼性の向上を得られるなどの効果を奏する。
【図面の簡単な説明】
【図１】本発明の実施の形態を示す、電動機の固定子の外観図と一部拡大図。
【図２】同実施の形態を示す、絶縁部材の一部平面図と正面図。
【図３】同実施の形態を示す、巻線をした状態での一部正面図と断面図。
【図４】一般的な、三相星形並列結線を示す回路図。
【図５】同、実体配線図。
【図６】従来の、電動機固定子の平面図。
【図７】従来の、絶縁処理を説明する図。
【図８】従来の、電動機固定子の正面図と、一部拡大図。
【符号の説明】
１ｕ，１ｖ，１ｗ…磁極歯、
Ｓ…継鉄鉄心、
９Ａ…絶縁部材、
Ｕ１，Ｕ２，Ｖ１，Ｖ２，Ｗ１，Ｗ２…巻線、
１１…絶縁板、
８Ａ…鍔部、
１２…張り出し部。
【図１】
0004150774.tif 000002
【図２】
0004150774.tif 000003
【図３】
0004150774.tif 000004
【図４】
0004150774.tif 000005
【図５】
0004150774.tif 000006
【図６】
0004150774.tif 000007
【図７】
0004150774.tif 000008
【図８】
0004150774.tif 000009